(57)【要約】【課題】良好な外観品位を保つことが可能な防滴構成を有する電子機器を提供すること。【解決手段】電子機器は、アクセサリが着脱可能に取り付けられる電子機器であって、アクセサリを収納可能な収納部と、外部端子に接続可能な接続部と、アクセサリを収納部に挿入するための開口と、開口に隣接する外観面に設けられ、接続部が配置されている接続領域と、を備える外装部材と、外装部材を電子機器の本体に固定するための保持部材と、を有し、外装部材は、収納部を防滴する第１防滴部と、接続領域を防滴する第２防滴部と、第１防滴部と第２防滴部とを接続する接続防滴部と、を備える防滴部材を有し、保持部材は、開口が所定の位置となるように第１防滴部の反力に抗して外装部材を保持する。【選択図】図１
2020064997.tif 000002
【特許請求の範囲】
【請求項１】
アクセサリが着脱可能に取り付けられる電子機器であって、
前記アクセサリを収納可能な収納部と、
外部端子に接続可能な接続部と、
前記アクセサリを前記収納部に挿入するための開口と、前記開口に隣接する外観面に設けられ、前記接続部が配置されている接続領域と、を備える外装部材と、
前記外装部材を前記電子機器の本体に固定するための保持部材と、を有し、
前記外装部材は、前記収納部を防滴する第１防滴部と、前記接続領域を防滴する第２防滴部と、前記第１防滴部と前記第２防滴部とを接続する接続防滴部と、を備える防滴部材を有し、
前記保持部材は、前記開口が所定の位置となるように前記第１防滴部の反力に抗して前記外装部材を保持することを特徴とする電子機器。
【請求項２】
前記アクセサリは、電池であることを特徴とする請求項１に記載の電子機器。
【請求項３】
前記第１防滴部および前記第２防滴部は、前記アクセサリの挿入方向において、異なる位置に配置されていることを特徴とする請求項１または２に記載の電子機器。
【請求項４】
前記保持部材は、前記開口が所定の位置となるように前記接続防滴部の反力に抗して前記外装部材を保持することを特徴とする請求項１から３のいずれか１項に記載の電子機器。
【請求項５】
前記外装部材は、前記開口の近傍に、前記アクセサリをガイドするガイド部を備えることを特徴とする請求項１から４のいずれか１項に記載の電子機器。
【請求項６】
前記保持部材は、前記アクセサリが前記収納部に収納されている場合、前記ガイド部に係合する、前記アクセサリに設けられたガイド溝により形成された空間内に配置されていることを特徴とする請求項５に記載の電子機器。
【請求項７】
前記アクセサリは、防滴部材を備え、
前記防滴部材は、前記アクセサリが前記収納部に収納されている場合、前記外装部材と前記アクセサリとの間に配置されていることを特徴とする請求項１から６のいずれか１項に記載の電子機器。
【請求項８】
前記外装部材を前記本体に締結する締結部材を更に有し、
前記締結部材および前記保持部材は、同一方向から組み付けられていることを特徴とする請求項１から７のいずれか１項に記載の電子機器。
【発明の詳細な説明】
【技術分野】
【０００１】
本発明は、電子機器に関し、特に防滴構成を有する電子機器に関する。
【背景技術】
【０００２】
従来、防滴構成を有する電子機器が提案されている。特許文献１では、内部筐体に配置された複数の防滴部材をカバーで押さえることにより防滴性を確保する電子機器が開示されている。
【先行技術文献】
【特許文献】
【０００３】
【特許文献１】特開２０１３−２１００５号公報
【発明の概要】
【発明が解決しようとする課題】
【０００４】
しかしながら、特許文献１の電子機器では、複数の防滴部材をカバーで押さえるため、防滴部材の反発力によってカバーが変形し、カバーの合わせ目が広がったり、カバーそのものが変形したりして、電子機器の外観品位が損なわれる懸念がある。
【０００５】
本発明は、良好な外観品位を保つことが可能な防滴構成を有する電子機器を提供することを目的とする。
【課題を解決するための手段】
【０００６】
本発明の一側面としての電子機器は、アクセサリが着脱可能に取り付けられる電子機器であって、アクセサリを収納可能な収納部と、外部端子に接続可能な接続部と、アクセサリを収納部に挿入するための開口と、開口に隣接する外観面に設けられ、接続部が配置されている接続領域と、を備える外装部材と、外装部材を電子機器の本体に固定するための保持部材と、を有し、外装部材は、収納部を防滴する第１防滴部と、接続領域を防滴する第２防滴部と、第１防滴部と第２防滴部とを接続する接続防滴部と、を備える防滴部材を有し、保持部材は、開口が所定の位置となるように第１防滴部の反力に抗して外装部材を保持することを特徴とする。
【発明の効果】
【０００７】
本発明によれば、良好な外観品位を保つことが可能な防滴構成を有する電子機器を提供することができる。
【図面の簡単な説明】
【０００８】
【図１】本発明の実施形態に係る電子機器の一例である撮像装置の外観図である。
【図２】端子カバーの説明図である。
【図３】外装部品の説明図である。
【図４】端子カバーの固定位置決め方法の説明図である。
【図５】電池の説明図である。
【発明を実施するための形態】
【０００９】
以下、本発明の好ましい実施の形態を、添付の図面に基づいて詳細に説明する。各図において、同一の部材については同一の参照番号を付し、重複する説明は省略する。
【００１０】
まず、図１を参照して、本実施形態に係る電子機器の一例である撮像装置１の外観について説明する。図１は、撮像装置１の外観図である。図１（ａ）は撮像装置１の外観を示しており、図１（ｂ）は撮像装置１の主要部品の分解斜視図である。なお、本実施形態では、電子機器の一例として撮像装置について説明するが、本発明はこれに限定されない。本発明は、アクセサリが着脱可能に取り付けられる携帯電子端末などの他の電子機器にも適用可能である。電子機器に着脱可能に取り付けられるアクセサリとは、例えば、電池や記録媒体である。本実施形態では、アクセサリとして電池１０を撮像装置１に取り付ける場合について説明する。
【００１１】
撮像装置１は、不図示の撮像素子によって被写体の画像を取得し、デジタルデータとして記録することができる。撮像装置１の側面部には、端子カバー（外装部材）２が配置されている。端子カバー２には、後述する外部端子接続口２４や電池１０を挿入するための電池挿入口（開口）２５が設けられている。端子カバー２は、複数のビス（締結部材）２２と段ビス２３（保持部材）とによって撮像装置１の本体７に固定されている。端子キャップ２１は、端子カバー２の上に取り付けられ、後述する外部端子接続口２４を密閉する。撮像装置１の被写体側には前カバー３、背面側には後カバー４、上面には上カバー５、下面には底面カバー６が設けられ、それぞれ不図示のビスにより本体７に固定される。
【００１２】
次に、図２を参照して、端子カバー２の詳細について説明する。図２は、端子カバー２の説明図である。図２（ａ）は端子カバー２を外観側から見た斜視図であり、図２（ｂ）は端子カバー２を内側から見た斜視図である。
【００１３】
端子カバー２は、２色成形の金型によって、樹脂カバー２００と防滴部材２１０とが一体的な部品として成形された部品である。本実施形態では、樹脂カバー２００はポリカーボネートなどの熱可塑性の樹脂、防滴部材２１０は熱可塑性エラストマーである。
【００１４】
端子カバー２の上部の外観面には、複数の外部端子と接続可能な外部端子接続口（接続部）２４が形成されている外部端子接続領域（接続領域）２４０が設けられている。外部端子接続口２４には、ＵＳＢケーブル、ＨＤＭＩ（登録商標）ケーブル、マイクおよびリモコンなど、撮像装置１と情報のやり取りをしたり、撮像装置１の機能を拡張したりするアクセサリの端子が接続される。外部端子接続口２４の周囲には、端子キャップ２１と嵌合するリブが設けられている。端子キャップ２１は、外部端子接続口２４を密閉して、水滴などの侵入を防止する。
【００１５】
端子カバー２の下部には、外部端子接続領域２４０に隣接して、電池１０を挿入するための電池挿入口２５が設けられている。電池１０は、電池挿入口２５より挿入され、前カバー３、後カバー４、および底面カバー６で形成された電池室（収納部）８に収納される。電池１０は、電池室８に収納された状態で、後述する電池側コネクタ１２および本体側コネクタ１３を介して撮像装置１に電力を供給する。電池挿入口２５の周囲には、電池挿入口周辺部２５０が設けられている。電池挿入口周辺部２５０は、後述する電池防滴部材１１１に接触し、電池１０と撮像装置１との間を密閉する。電池挿入口２５の近傍には、２つの電池ガイド（ガイド部）２５１が設けられている。電池ガイド２５１は、電池１０の挿入時に電池１０に設けられた電池レール部（ガイド溝）１４に接触し、電池側コネクタ１２および本体側コネクタ１３が正しく嵌合するように電池１０の位置を規制する。電池ガイド２５１の間には、段ビス２３が嵌合する段ビス締結部２６が設けられている。
【００１６】
防滴部材２１０は、図２（ｂ）のハッチングした範囲に、端子カバー２の外周に沿って設けられている。防滴部材２１０は、電池挿入口２５を囲む第１防滴部２１１、外部端子接続領域２４０を囲む第２防滴部２１２、および第１防滴部２１１と第２防滴部２１２とを接続する接続防滴部２１３から構成される。接続防滴部２１３は、外部端子接続領域２４０と電池挿入口２５との間の段差部に設けられている。すなわち、第１防滴部２１１と第２防滴部２１２は、電池１０の挿入方向において、異なる位置に配置されている。
【００１７】
ここで、電池１０の形状と端子カバー２との関係性について説明する。電池１０には、電池カバー１１が一体的に取り付けられている。電池１０は、容量を大きくするため、電池室８に収納できる限界のサイズまで大型化されている。そのため、電池カバー１１も撮像装置１の隅部を含む大きな形となっている。そこで、電池カバー１１の端部には、Ｒ形状１１０が設けられている。Ｒ形状１１０は、十分に大きな曲面となっており、ユーザーが触れた場合の違和感を低減することが可能であるとともに、強い外力が加わった場合の割れ等を防止することが可能である。電池１０が撮像装置１に対して小さい場合、電池カバー１１が撮像装置１の端部まで伸びることはないため、Ｒ形状１１０を設ける必要はない。本実施形態では、このように大きなＲ形状１１０を設けているため、電池カバー１１の厚みをＲ形状１１０の厚みより大きくする必要がある。上述したように、端子カバー２には外部端子接続領域２４０と電池挿入口２５との間に段差部が設けられているため、厚みのある電池カバー１１が撮像装置１から突出することなく電池１０を収納することができる。すなわち、大容量を得るために大型化した電池１０も端子カバー２に設けられた段差部によって段差などを生じさせることなく撮像装置１に収納することができる。
【００１８】
次に、図３を参照して、端子カバー２と、前カバー３や後カバー４等の各カバーとの防滴構成について説明する。図３は、外装部品の説明図である。図３では、説明を分かりやすくするため、端子カバー２と前カバー３のみが示されている。図３（ｂ）〜図３（ｄ）はそれぞれ、図３（ａ）のＡ−Ａ線、Ｂ−Ｂ線、Ｃ−Ｃ線の拡大断面図である。
【００１９】
図３（ｂ）に示されるように、第１防滴部２１１は、前カバー３に設けられたエラストマー当接面３１１に押し付けられ変形し、隙間なく密着する。これにより、第１防滴部２１１と前カバー３との間から水滴などが浸入することを防止できる。この状態では、端子カバー２は、Ｘ方向の第１防滴部２１１の反力を受ける。
【００２０】
図３（ｃ）に示されるように、第２防滴部２１２は、前カバー３に設けられたエラストマー当接部３１２に押し付けられ変形し、隙間なく密着する。これにより、第２防滴部２１１と前カバー３との間から水滴などが浸入することを防止できる。この状態では、端子カバー２は、Ｘ方向の第２防滴部２１２の反力を受ける。
【００２１】
図３（ｄ）に示されるように、接続防滴部２１３は、前カバー３に設けられたエラストマー当接部３１３に押し付けられ変形し、隙間なく密着する。これにより、接続防滴部２１３と前カバー３との間から水滴などが浸入することを防止できる。この状態では、端子カバー２は、Ｙ方向の接続防滴部２１３の反力を受ける。そのため、電池挿入口２５は、Ｙ方向への力を受ける。
【００２２】
端子カバー２と、後カバー４、上カバー５、または底面カバー６との間の防滴構成も同様に、防滴部材２１０を各カバーに押し付けることで構成される。
【００２３】
なお、図３（ａ）に示されるように、前カバー３の下部には、前カバー防滴部材３１が配置されている。前カバー防滴部材３１は、前カバー３と底面カバー６との間を密閉する。また、前カバー防滴部材３１の端部は、第１防滴部２１１に接触している。この構成により、前カバー３と端子カバー２との間は完全に密閉される。
【００２４】
後カバー４、上カバー５、または底面カバー６には、同様に防滴部材が配置されている。各防滴部材は防滴部材２１０に接触するように構成されており、各カバーと端子カバー２との間を密閉することができる。
【００２５】
次に、図４を参照して、端子カバー２の固定位置決め方法について説明する。図４は、端子カバー２の固定位置決め方法の説明図である。図４（ａ）は、端子カバー２を側面方向から見た図であり、必要な部品だけを示している。図４（ｂ）は、図４（ａ）のＤ−Ｄ線の拡大断面図であり、段ビス２３の締結部付近を示している。
【００２６】
前述したように、端子カバー２は、複数のビス２２と段ビス２３とによって撮像装置１の本体７に固定されている。ビス２２および段ビス２３は、第１防滴部２１１および第２防滴部２１２を押し付ける方向へ締結される。これにより、端子カバー２を第１防滴部２１１および第２防滴部２１２の反力に抗して所定の位置に保持し、確実に第１防滴部２１１および第２防滴部２１２を押し潰すことができる。ビス２２は、主に第２防滴部２１２の反力で端子カバー２が浮き上がってカバーの合わせが段差になったり、第２防滴部２１２が十分に押し潰されずに防滴性能が低下したりすることを防止できる。また、ビス２２および段ビス２３は全て同一方向から組み付けられるため、撮像装置１の姿勢を変えたりすることなく容易に組立作業を行うことが可能である。
【００２７】
段ビス２３は、ネジ部２３２で底面カバー６に締結される。段ビス２３には、段ビス嵌合部２３１が設けられている。段ビス嵌合部２３１は、段ビス締結部２６に設けられた嵌合穴２６１に嵌合する。これにより、電池挿入口２５は、底面カバー６に対して正確に位置決めされる。上述したように、電池挿入口２５は接続防滴部２１３の反力によってＹ方向の力を受けるが、段ビス嵌合部２３１が支えとなって電池挿入口２５のＹ方向への変形を防止することができる。すなわち、電池挿入口２５の位置ずれを防止し、段ビス締結部２６の両脇に設けられた電池ガイド２５１を正確に位置決めすることが可能となり、電池１０の挿入時に電池側コネクタ１２を本体側コネクタ１３に確実に導通させることができる。また、接続防滴部２１３の潰し量を確保して、確実に防滴性能を確保することも可能である。また、段ビス２３は、段ビス頭部２３０によって端子カバー２を第１防滴部２１１のＸ方向の反力に抗して保持する。これにより、電池挿入口２５のＸ方向への浮き上がりを抑え、第１防滴部２１１を底面カバー６のエラストマー当接面６１１に押し当て、潰し量を確保することができる。以上説明したように、段ビス２３は、電池挿入口２５のＸ方向およびＹ方向の位置を正確に決め、電池１０挿入時の信頼性を確保し、カバーずれなどの外観品位悪化を防止することができる。
【００２８】
次に、図５を参照して、段ビス２３と電池１０との関係について説明する。図５は、電池１０の説明図である。図５（ａ）は、電池１０の外観斜視図である。図５（ｂ）は、電池１０の側面図である。図５（ｃ）は、電池１０が撮像装置１に挿入された状態を示している。図５（ｄ）は、図５（ｃ）のＥ−Ｅ線の拡大断面図であり、電池挿入口２５付近を示している。
【００２９】
電池防滴部材１１１は、電池カバー１１の外周に沿って設けられている。電池防滴部材１１１は、電池挿入口周辺部２５０に圧接され、電池カバー１１と端子カバー２との間から水滴などが浸入することを防止する。電池挿入口周辺部２５０は、切れ目や段差のない面で電池挿入口２５の周囲に配置されている。前カバー３と後カバー４とを前後から合せて電池挿入口を形成する場合、電池防滴部材１１１の当接部に前カバー３と後カバー４との合わせ部の微小な隙間が発生するため、そこから水滴が浸入するリスクが高まる。本実施形態では、端子カバー２に電池挿入口２５を設けることで、防滴性能を向上させることが可能である。また、電池カバー１１には、電池保持爪１１２が設けられている。電池保持爪１１２は、電池１０の挿入時に撮像装置１に係合し、電池１０を所定の位置に保持する。
【００３０】
電池カバー１１と反対側の面には、電池側コネクタ１２が設けられている。また、電池１０の底面側には、電池レール部１４が設けられている。電池１０の挿入時に電池レール部１４が電池ガイド２５１に沿って摺動することで、電池１０が移動する。
【００３１】
電池１０内には、３本の電池セル１０１が設けられている。図５（ｄ）に示されるように、３本の電池セル１０１のうち、中央の電池セル１０１は、左右の電池セル１０１に対して、高さを変えて配置されている。中央の電池セル１０１の下の空間には、電池レール部１４が設けられている。電池レール部１４を設けることで形成された空間内には、段ビス２３および段ビス締結部２６が配置される。このように複数の電池セル１０１を、段差をつけて設けることで、電池１０の撮像装置１の前後方向の大きさを抑えることが可能となり、撮像装置１の前後方向の大型化を抑制することができる。また、電池セル１０１の隙間に電池レール部１４を設け、電池レール部１４を設けることで形成された空間内に段ビス２３と段ビス締結部２６を配置することで、撮像装置１の大型化を抑制することができる。すなわち、撮像装置１を大型化することなく、電池挿入時の信頼性向上、防滴性能の向上、および外観品位の向上を達成することができる。
【００３２】
なお、本実施形態では、段ビス２３を使用しているが、本発明はこれに限定されない。嵌合する突起と穴等を組み合わせて、防滴部材２１０の反力を支える構成としても同様の効果が得られる。
【００３３】
また、防滴部材２１０を一体成型されたエラストマーではなく、分割された弾性部材を隙間なく貼りつける構成としてもよい。
【００３４】
以上、本発明の好ましい実施形態について説明したが、本発明はこれらの実施形態に限定されず、その要旨の範囲内で種々の変形及び変更が可能である。
【符号の説明】
【００３５】
１      撮像装置（電子機器）
２      端子カバー（外装部材）
２１０  防滴部材
２１１  第１防滴部
２１２  第２防滴部
２１３  接続防滴部
２３    段ビス（保持部材）
２４    外部端子接続口（接続部）
２４０  外部端子接続領域（接続領域）
２５    電池挿入口（開口）
７      本体
８      電池室
１０    電池
【図１】
2020064997.tif 000003
【図２】
2020064997.tif 000004
【図３】
2020064997.tif 000005
【図４】
2020064997.tif 000006
【図５】
2020064997.tif 000007